(57)【要約】【課題】カラー画像を送信後、該カラー画像をモノクロ画像に変換してレポートに印加することで、ランニングコストを低下させる。【解決手段】宛先登録時に、レポート出力時のカラー／モノクロ種別の設定登録を行い、カラー画像送信時のレポート出力の設定があるか否かの判定を行う（Ｓ３１）。設定がない場合はシステムの設定に従い（Ｓ３２）、設定がある場合は、レポート出力の設定がカラーか否かの判定を行い（Ｓ３３）、カラーの場合は、カラーレポート出力に設定し（Ｓ３４）、カラーでない場合は、モノクロレポート出力に設定する（Ｓ３５）。【選択図】図３
2006261715.tif 000002
【特許請求の範囲】
【請求項１】
カラー画像を送信後、該カラー画像からモノクロ画像を生成し、該モノクロ画像をレポートに付加することを特徴とする通信端末装置。
【請求項２】
前記モノクロ画像が、モノクロ多値画像であることを特徴とする請求項１に記載の通信端末装置。
【請求項３】
前記モノクロ画像が、モノクロ２値画像であることを特徴とする請求項１に記載の通信端末装置。
【請求項４】
前記モノクロ画像の生成後に、カラー画像を削除することを特徴とする請求項１に記載の通信端末装置。
【請求項５】
最初のページのみ前記モノクロ画像を生成することを特徴とする請求項１に記載の通信端末装置。
【請求項６】
前記カラー画像の送信操作時に画像付きレポートに添付される画像のカラー／モノクロ種別を指定可能であることを特徴とする請求項１に記載の通信端末装置。
【請求項７】
前記画像付きレポートに添付される画像のカラー／モノクロ種別を宛先毎に登録可能であることを特徴とする請求項１に記載の通信端末装置。
【発明の詳細な説明】
【技術分野】
【０００１】
本発明は、通信端末装置、より詳細には、カラー画像送信後、該カラー画像からモノクロ画像を生成し、このモノクロ画像をレポートに付加することで、印刷コストを低減させるようにした通信端末装置に関する。
【背景技術】
【０００２】
近年、カラー画像の送受信に対する需要が高まり、これをサポートする通信端末が増加している。しかしながら、従来はカラー画像を送信した場合、レポートに画像が添付されず、送信画情報の確認ができない、もしくは、添付する画像もカラー画像となってしまい、印刷コストが高くなると言う欠点があった。
【０００３】
特開平７−７４９６３号公報（特許文献１）には、レポートを出力する際の画情報格納方式が記載されているが、本発明は、カラー画像をレポートに添付する際のアプリケーションを規定している点で前記特開平７−７４９６３号公報に記載されている発明とは異なる。
【０００４】
特開２００３−１１０７８７号公報（特許文献２）には、サーバーとの連携による画情報保持の方法が記載されているが、カラー画像の扱いに関しては言及されておらず、本発明とは異なる。
【特許文献１】特開平７−７４９６３号公報
【特許文献２】特開２００３−１１０７８７号公報
【発明の開示】
【発明が解決しようとする課題】
【０００５】
本発明は、上述のごとき実情に鑑みてなされたもので、カラー画像を送信後、該カラー画像をモノクロ画像に変換してレポートに印加することで、ランニングコストを低下させるようにしたものである。
【０００６】
請求項１の発明は、送信したカラー画像をモノクロ変換してレポート出力可能とし、印刷コストを低下させることを目的とする。
【０００７】
請求項２の発明は、送信したカラー画像をモノクロ多値変換してレポート出力可能とし、印刷コストを低下させることを目的とする。
【０００８】
請求項３の発明は、送信したカラー画像をモノクロ２値変換してレポート出力可能とし、印刷コストを低下させることを目的とする。
【０００９】
請求項４の発明は、モノクロ画像生成後にカラー画像を削除することで、メモリを有効活用することを目的とする。
【００１０】
請求項５の発明は、最初のページのみモノクロ画像を生成することで、パフォーマンスの向上とメモリの有効活用を目的とする。
【００１１】
請求項６の発明は、送信操作時に、レポートに添付する画情報のカラー／モノクロ種別を選択可能とすることで、ユーザの利便性向上を目的とする。
【００１２】
請求項７の発明は、宛先毎にレポートに添付する画情報のカラー／モノクロ種別を登録可能とすることで、ユーザの利便性向上を目的とする。
【課題を解決するための手段】
【００１３】
請求項１の発明は、カラー画像を送信後、該カラー画像からモノクロ画像を生成し、該モノクロ画像をレポートに付加することを特徴としたものである。
【００１４】
請求項２の発明は、請求項１の発明において、前記モノクロ画像が、モノクロ多値画像であることを特徴としたものである。
【００１５】
請求項３の発明は、請求項１の発明において、前記モノクロ画像が、モノクロ２値画像であることを特徴としたものである。
【００１６】
請求項４の発明は、請求項１の発明において、前記モノクロ画像の生成後に、カラー画像を削除することを特徴としたものである。
【００１７】
請求項５の発明は、請求項１の発明において、第１ページのみ前記モノクロ画像を生成することを特徴としたものである。
【００１８】
請求項６の発明は、請求項１の発明において、前記カラー画像の送信操作時に画像付きレポートに添付される画像のカラー／モノクロ種別を指定可能であることを特徴としたものである。
【００１９】
請求項７の発明は、請求項１の発明において、前記画像付きレポートに添付される画像のカラー／モノクロ種別を宛先毎に登録可能であることを特徴としたものである。
【発明の効果】
【００２０】
請求項１の発明によると、送信したカラー画像をモノクロ変換してレポート出力可能としたので、印刷コストを低下させることが可能となる。
【００２１】
請求項２の発明によると、送信したカラー画像をモノクロ多値変換してレポート出力可能としたので、印刷コストを低下させることが可能となる。
【００２２】
請求項３の発明によると、送信したカラー画像をモノクロ２値変換してレポート出力可能としたので、印刷コストを低下させることが可能となる。
【００２３】
請求項４の発明によると、モノクロ画像生成後にカラー画像を削除するようにしたので、メモリの有効活用が可能となる。
【００２４】
請求項５の発明によると、最初のページのみモノクロ画像を生成するようにしたので、パフォーマンスの向上とメモリの有効活用が可能となる。
【００２５】
請求項６の発明によると、送信操作時にレポートに添付する画情報のカラー／モノクロ種別を選択可能としたので、ユーザの利便性向上が可能となる。
【００２６】
請求項７の発明によると、宛先毎にレポートに添付する画情報のカラー／モノクロ種別を登録可能としたので、ユーザの利便性向上が可能となる。
【発明を実施するための最良の形態】
【００２７】
本発明に係る通信端末装置の実施形態について、以下に図面を参照しながら説明する。なお、以下の説明では、送信元通信処理装置から受信先の通信機器（通信処理装置）に対してネットワークを介して送信する情報が、ＦＡＸに代表される画情報である場合を例にとって説明するが、本発明は、かかる場合のみに限るものではなく、インターネットＦＡＸ（Ｉ−ＦＡＸ）の画情報であっても良いし、ＩＰ用ＦＡＸ（ＩＰ−ＦＡＸ）の画情報であっても良いし、あるいは、テキストや画像情報や写真などの一般的なデータであっても構わない。本発明に係る通信処理装置は、これらの画情報やデータのうち１乃至複数（すべての場合も含む）を扱うことが可能なように構成することが可能である。
【００２８】
図１は、本発明に係る通信端末装置の基本的構成の一例を示す図で、本発明に係る通信端末装置１００は、参照番号１１〜１７及び参照番号２１〜２９にて示すように、基本的には、ＦＡＸ装置などのような通常の通信機器の構成と同等であり、ＣＰＵ１５の制御により、スキャナ２２で読み取った画情報を、通信制御部１６、網制御装置１７を介して、インターネット／ＬＡＮ／ＰＳＴＮ／ＩＳＤＮなどのネットワークに送信し、逆に、インターネット／ＬＡＮ／ＰＳＴＮ／ＩＳＤＮなどのネットワークから、網制御装置１７、通信制御部１６を介して受信した画情報をプロッタ２４から出力する。
【００２９】
本発明に係る通信端末装置１００は、このような画情報の送受信機能の他に、更に、電子メール送受信のための電子メール制御部３０が追加されて構成されている。この電子メール制御部３０は、インターネット／ＬＡＮ／ＰＳＴＮ／ＩＳＤＮなどのネットワークとの物理的、電気的接続を行なうとともに、ＴＣＰ／ＩＰ等の電子メール送受信のためのプロトコルをサポートしている。
【００３０】
図１に示した構成は、基本的には、通常のファクシミリ等の通信端末装置の構成と同等であり、ファクシミリや電子メール送受信機能を実現するための構成となる。また、画像メモリ２６に格納されている画情報を、符号化／復合化部１４によりカラーからモノクロに変換が可能である。
【００３１】
図２は、通信端末装置の接続構成例を示す図で、１００１，１００２は本発明による通信端末装置、２００は公衆網（ＰＳＴＮ／ＩＳＤＮ）及びインターネットで、送信側通信端末装置１００１から送信されたＦＡＸ／電子メール等の画情報は、公衆網／インターネット２００等を経由して受信側の通信端末装置／ＰＣ１００２に送られる。
【００３２】
図３は、カラー／モノクロ種別の登録フローを示す図で、宛先登録時に、レポート出力時のカラー／モノクロ種別の設定登録を行うが、その設定にカラー画像送信時のレポート出力の設定があるか否かの判定を行う（Ｓ３１）。設定がない場合はシステムの設定に従い（Ｓ３２）、設定がある場合は、レポート出力の設定がカラーか否かの判定を行い（Ｓ３３）、カラーの場合は、カラーレポート出力に設定し（Ｓ３４）、カラーでない場合は、モノクロレポート出力に設定する（Ｓ３５）。
【００３３】
図４は、送信操作時に、レポート出力時のカラー／モノクロ種別の設定を行なうフローを示す図で、送信画像がカラーか否かの判定を行い（Ｓ４１）、カラーでない場合はモノクロレポート出力に設定し（Ｓ４２）、カラーの場合はカラー画像送信時のレポートの出力の設定を行う（Ｓ４３）。レポート出力時の設定がない場合は、レポート出力時のカラー／モノクロの設定はシステム設定に従い（Ｓ４４）、レポート出力時の設定がある場合は、レポート出力設定がカラーか否かの判定を行い（Ｓ４５）、カラーの場合は、カラーレポート出力に設定し（Ｓ４６）、カラーでない場合は、モノクロレポート出力に設定する（Ｓ４７）。この設定フローでは、図３で宛先に登録されたカラー／モノクロ種別が優先されるケースもありえる。また、どちらを優先するかを内部設定により決定する場合もありえる。
【００３４】
図５は、カラーからモノクロに変換する処理フローを示す図で、図３及び図４で登録／指定されたカラー／モノクロ種別に従って、送信画像はカラー画像か否かを判別し（Ｓ５１）、モノクロレポート出力の設定の有無を判断し（Ｓ５２）、必要に応じてカラー画像からモノクロ画像を生成する。生成されるモノクロ画像は多値／２値の場合があり、また、最初の１ページのみをモノクロ画像とする場合と全ページモノクロ画像とする場合がある（Ｓ５３）。（Ｓ５４）においては全ページがモノクロ画像生成され、（Ｓ５５）においては最初の１ページのみがモノクロ画像生成される。また、モノクロ画像生成後は内部の設定に従って（Ｓ５６）、カラー画像が削除される（Ｓ５７）。
【００３５】
図６は、画像付きレポートの出力フローを示す図で、出力画像がカラーレポートか否かを判定し（Ｓ６１）、カラーレポートの場合は、レポートにカラー画像を添付し（Ｓ６２）、カラーレポートでない場合は、生成されたモノクロ画像を添付する（Ｓ６３）。
【図面の簡単な説明】
【００３６】
【図１】本発明に係る通信端末装置の基本的構成の一例を示す図である。
【図２】通信端末装置の接続構成例を示す図である。
【図３】カラー／モノクロ種別の登録フローを示す図である。
【図４】送信操作時にレポート出力時のカラー／モノクロ種別の設定を行なうフローを示す図である。
【図５】カラーからモノクロに変換する処理フローを示す図である。
【図６】画像付きレポートの出力フローを示す図である。
【符号の説明】
【００３７】
１４…符号化／復合化部、１５…ＣＰＵ、１６…通信制御部、１７…網制御装置、２２…スキャナ、２４…プロッタ、２６…画像メモリ、３０…電子メール制御部、１００１，１００２…通信端末装置、２００…公衆網（ＰＳＴＮ／ＩＳＤＮ）及びインターネット。
【図１】
2006261715.tif 000003
【図２】
2006261715.tif 000004
【図３】
2006261715.tif 000005
【図４】
2006261715.tif 000006
【図５】
2006261715.tif 000007
【図６】
2006261715.tif 000008